(57)【要約】【課題】投げ釣り用、船釣り用等の遊動天秤式の釣り具において、道糸を遊動可能に通す中空パイプの孔に砂や小石が詰まらないようにする。【解決手段】錘を支持すると共に道糸を遊動可能に通す中空パイプ1の孔2の径が、釣り竿側の開孔部3からハリ側の開孔部4の方向に広がって、道糸孔2の中に砂や小石5を詰らなくしている。【選択図】  図１
2005229900.tif 000002
【特許請求の範囲】
【請求項１】
錘と、該錘を支持すると共に道糸を遊動可能に通す中空パイプとを備えた釣り具において、
該中空パイプの孔径が、釣り竿側からハリの方向に広がっていることを特徴とした釣り具。
【請求項２】
請求項１において、
該中空パイプが、該孔径の大きさに関わらず一定の外径を有することを特徴とした釣り具。
【請求項３】
請求項１において、
該中空パイプが、該孔径の大きさに比例した外径を有することを特徴とした釣り具。
【請求項４】
請求項１から３のいずれか一つにおいて、
該中空パイプが、ねじ式で分離可能になっていることを特徴とした釣り具。
【請求項５】
請求項１から４のいずれか一つにおいて、
該中空パイプに該錘がぶら下がっていることを特徴とした釣り具。
【請求項６】
請求項１から４のいずれか一つにおいて、
該中空パイプに該錘が一体形成されていることを特徴とした釣り具。
【請求項７】
請求項５において、
該中空パイプに2つのビニール管又はハガネを嵌め、両ビニール管又はハガネの間に該錘をぶら下げたことを特徴とする釣り具。
【請求項８】
請求項１から７のいずれか一つにおいて、
該中空パイプが、湾曲形状又は直線形状を有していることを特徴とした釣り具。
【発明の詳細な説明】
【技術分野】
【０００１】
本発明は釣り具に関し、特に投げ釣り用又は船釣り用の遊動天秤式仕掛けを構成する釣り具に関するものである。
【背景技術】
【０００２】
海釣り等において、魚が餌（針）をくわえた時に魚に違和感を与えないということが重要であるが、このための種々の仕掛けが従来より用いられている。
【０００３】
図5〜図7はこのような仕掛けの従来例を示しており、これらは特に投げ釣り用遊動天秤式仕掛けとして知られた釣り具を示している。
【０００４】
まず、図5に示す従来例(1)の場合には、まずハガネ（鋼）30に大きい輪30aと小さい輪30bとを設け、小さい輪30bから更にハガネ30を下方に伸ばし、錘(オモリ)を吊るための吊輪30cを設けるために更に上方に伸びる形とし、小さい輪30bから大きい輪30aに伸びるハガネ部分と、小さい輪30bから吊輪30cに伸びるハガネ部分とをバネ31を用いて図示のように抑える。
【０００５】
そして、このバネ31を矢印Aの方向に縮めることにより、吊輪30cから伸びたハガネ30の先端をバネ31からはみ出させ、ここから吊輪30cに錘34を掛けるようにして、図示のような状態を作り出している。
【０００６】
そして、同図(2)に示すように、大きい輪30aと小さい輪30bを共にサルカン33（ヨリモドシ）及びハリス34を経て針35に繋がっている道糸32に通すことにより、ハガネ30と錘34とで天秤を構成した後、このような仕掛けを海に投入したとき、海中においては、ハガネ30は錘34の動力に従って道糸32に沿って針35の方向に下がって行き、大きい輪30aはサルカン33を通るが、小さい輪30bの内径がサルカン33の外径より小さく作られているので、サルカン33の所で小さい輪30bが止まることになる。
【０００７】
そして、魚（図示せず）が針35の餌をくわえた時、ハリス34及びサルカン33を経て道糸32は図の左下方向に引っ張られるが、この時、魚は、餌をくわえた時に錘34の抵抗（重さ）を感じること無く道糸32を引っ張るので、釣り人はこの道糸32の引きを魚信（あたり）として釣り竿（図示せず）から直接感じることができ、以て魚を逃がさずに釣ることが可能となるものである。
【０００８】
図6(1)に示す従来例(2)の場合は、両端に蛍光プラスチック端部40a及び40bを設けた透明中空パイプ40の中に道糸32を通し、サルカン33を経由してハリス及び針（図示せず）に繋ぐと共に、蛍光プラスチック端部40bから図5の従来例(1)に示したのと同様にハガネ41を下方に伸ばし、これを曲げて上方に伸ばした状態でバネ42を掛けることにより吊輪41aを設けると共に、このバネ42を上げることにより、従来例(1)と同様に錘34を吊輪41aに吊り下げるようにしたものである。
【０００９】
同図(2)〜(5)はハガネ41に対して、錘34を取り付ける手順を示しており、まず同図(2)に示すように錘34を吊輪41aに吊り下げた後、同図(3)に示すようにバネ42を矢印Bに示すように上方に持ち上げると共に、同図(4)に示すようにバネ42の片一方を他方に押し付けることにより、同図(5)に示すようにバネ42をハガネ42に挿入している。
【００１０】
このような従来例(2)の場合も、パイプ40と錘34とで天秤を構成し、且つこのパイプ40がその錘34の重さにより下方に下がっていくが、サルカン33の外径より小さい内径を有する蛍光プラスチック端部40aによってサルカン33で止まることとなる。
【００１１】
そして、魚が餌をくわえたときには、やはり従来例(1)と同様に、魚は錘34の重さを感ずることなく道糸32を引っ張るので、釣り竿には直接魚信が伝わることとなる。
【００１２】
図7に示す従来例(3)の場合には、中空パイプ50の中にスプリング51を通し、このスプリング51の両端をパイプ50から出してビーズ52及び53を取り付ける。そして、図6の従来例(2)の蛍光プラスチック端部40bの代わりに、ハガネ54をパイプ50に巻き付けると共に、このハガネ54に対して吊輪54aとバネ55を設けて、上記の従来例(2)と同様に錘54を吊るしてパイプ50と共に天秤を構成している。
【００１３】
なお、サルカン33には内径の小さいビーズ52が当たってパイプ50が止まるようになるが、このときスプリング51によって魚信時の衝撃が緩和されるようになっている。
【００１４】
この他、投げ釣り用遊動天秤式釣り具として、道糸、仕掛け、錘の支点をサルカンを介して一支点にし、且つ遊動型にし、道糸と仕掛けを逆L字天秤を介して直結し、錘の重さに左右されずに遊動式にした一支点遊動型逆L字天秤おもりがある（例えば、特許文献1参照。）。
【００１５】
上記のような投げ釣り用遊動天秤式釣り具は、魚信があった時、魚は錘の重さを余り感じることなく釣り竿にその魚信を伝えることが出来るが、この様な投げ釣り用遊動天秤式釣り具の場合には、(1)錘が直接海底に沈むようになっており、この様な重さの釣り具を浮き釣り用にそのまま用いることは出来ず、また(2)錘が道糸等と絡み合ってしまう、等の欠点がある。
【００１６】
また、おもり主体に軸心貫通孔を形成し、その貫通孔径より大なる外径を有する弾性チューブを上記貫通孔に強制挿通し、その貫通孔内で上記チューブをハリスを圧迫しない程度に縮径せしめ、その両端をおもり主体から所要長さ突出させたことを特徴とする釣り用おもりがある（例えば、特許文献2参照。）。
【特許文献１】特開平11-346619号公報
【特許文献２】実公平01-003349号公報
【発明の開示】
【発明が解決しようとする課題】
【００１７】
上記のような投げ釣り用遊動天秤式釣り具の内、図6や図7に示した中空パイプを用いたものにおいては、この中空パイプの道糸を通す孔の径が入口から出口まで一定であったため、例えば、キス釣りなどの投げ釣りにおいて魚を誘うために海底を引っ張って来ると、砂や小粒の石が中空パイプ内に入って詰まってしまい、道糸がパイプの中で動かなくなり遊動式の意味をなさないという問題があった。
【００１８】
これを図8を用いて説明する。なお、ここでは、図6及び図7にそれぞれ示した従来例(2)及び(3)を総称して遊動天秤式釣り具20と称し、中空パイプ21とこれに支持された錘22を有し、道糸32が中空パイプ21の開孔部23から開孔部24に通されているものとする。
【００１９】
まず、同図(1)に示すように、陸70に位置する釣り人80は、釣り竿25から道糸32を遊動天秤式釣り具20の中空パイプ21に通し、さらにヨリモドシ33及びハリス34を経由して針35に接続した状態で、海90の海底100に天秤20を沈め、魚37がエサ36に対して食いつくのを待つか、或いはリール26を少し巻いて天秤20を動かしながら魚37を誘ったりポイントを探ったりする。
【００２０】
この時、釣り具20は同図(1)に示すように、中空パイプ21の釣り竿側の開孔部23が海面を向いた状態か又は同図(2)に示すように開孔部23が海底100を向いた状態になって海底100に横たわっているが、上記のようにリール26を巻いた時、図9に示すように、中空パイプ21の開孔部23から矢印Aの方向に沿って道糸孔22に砂や小石5が入ってしまい、このとき道糸孔22の径が一定であるため砂や小石25が道糸孔22に詰まってしまう。これは、中空パイプ21が図示のような湾曲形状でなく、直線形状であっても同様である。また、従来例(2)のように、蛍光プラスチック端部40bを設けていたり、従来例(3)のように夜光玉53を設けていても同様であった。
【００２１】
このように、中通しパイプ式を用いた遊動天秤式釣り具で砂や石が詰まってしまうと、魚が餌をくわえたときには普通の天秤よりも直接錘の重さを魚に与えてしまい、魚が違和感を感じて餌をくわえるのを止めたり、或いは錘の重さで魚信(当り)が取りにくくなり釣果が落ちることになる。
【００２２】
従って本発明は、道糸を遊動可能に通す中空パイプの孔に砂や小石が詰まらないようにした釣り具を提供することを目的とする。
【課題を解決するための手段】
【００２３】
上記の目的を達成するため、本発明に係る釣り具は、錘と、該錘を支持すると共に道糸を遊動可能に通す中空パイプとを備えた釣り具において、該中空パイプの孔径が、釣り竿側からハリの方向に広がっていることを特徴としている。
【００２４】
これを図1に示した原理図で説明する。
【００２５】
本発明に係る釣り具10では、錘13を支持すると共に道糸を遊動可能に通す中空パイプ1の孔2の径が釣り竿の側からハリの方向に広がって(テーパー状)になっているため、リール等により道糸を巻いた時、中空パイプ1の釣り竿側の開孔部3から矢印Aの方向へ砂や小石5が入っても、ハリ側の開孔部4の孔径が大きくなっているので、そこから抜け易く、従って砂5等が詰まることが著しく減少し、遊動式天秤の効果を維持し、高い釣果が得られることになる。
【００２６】
この場合、上記の中空パイプ1は、孔径の大きさに関わらず、一定の外径を有するものか、或いは孔径の大きさに比例した外径を有するものでもよい。
【００２７】
また、中空パイプ1をねじ式で分離可能にすることにより、たとえ砂や小石5等が詰まっても、中空パイプ1を分割できるので内部が掃除し易く砂5等を取り除くことが容易になる。
【００２８】
さらには中空パイプ1に錘をぶら下げるか、中空パイプ1自体に錘を一体形成してもよい。この場合、中空パイプ1に2つのビニール管又はハガネを嵌め、両ビニール管又はハガネの間に錘をぶら下げてもよい。
【００２９】
さらには、中空パイプ1は湾曲形状でも直線形状でもよい。
【発明の効果】
【００３０】
以上説明したように本発明によれば、中空パイプに砂や小石が入っても、通り抜け易く、これらが中空パイプの孔の中に詰まることが回避できるので、遊動式の釣り具として高い釣果を得ることが可能となる。なお、本発明は、投げ釣りだけでなく、船釣りや浮き釣りにも適用できるものである。
【発明を実施するための最良の形態】
【００３１】
図2は、図1に原理的に示した本発明に係る釣り具10に用いられる湾曲形中空パイプ1の種々の実施例(その1)を示している。
【００３２】
まず、同図(1)の実施例においては、中空パイプ1の外径は一定であり、この中空パイプ1に道糸(図示せず)を通す道糸孔2が釣り竿側の開孔部3から、ハリ側の開孔部4に向かって広がっているものである。なお、この中空パイプ1には溝6が設けられており、この溝6にヨリモドシ11及びスナップ12を経由して錘13が繋がれてぶら下がっている。
【００３３】
同図(2)に示す実施例においては、中空パイプ1と同様であるが、但し、この中空パイプ1が途中でねじで分離できるようになっており、この実施例では、図示のように中空パイプ部分1aと中空パイプ部分1bとに2分割され、ねじ部1cで結合できるようにしている。これにより、中空パイプ1に僅かに詰まっている砂や小石等も除き易くなる。
【００３４】
同図(3)に示す実施例においては、今度は、道糸孔2の孔径に比例して中空パイプ1自身の外径を開孔部3から開孔部4に向かって広げているものである。その他は同図(1)に示した実施例と同様である。
【００３５】
同図(4)に示した実施例の場合には、同図(3)に示した実施例において、同図(2)と同様に、中空パイプ1を、中空パイプ部分1aと中空パイプ部分1bとにねじで2分割できるようにしたものである。
【００３６】
同図(5)に示した実施例においては、上記の各実施例において溝6を挟んで2つのビニール管7a,7bを嵌め込み、このビニール管7aと7bの間に錘13をヨリモドシ11及びスナップ12を経由して接続したものである。これにより、錘13はビニール管7a,7bによって動かないように固定されることになる。
【００３７】
同図(6)に示した実施例においては、同図(5)に示したビニール管7a,7bの代わりにハガネ8a,8bを用いている点が異なっている。これにより、錘13はハガネ8a,8bによって動かないように固定されることになる。
【００３８】
なお、同図(5)及び(6)に示した実施例も他の実施例と同様に中空パイプ1の外径を一定とするか又は広げたり、あるいはネジ分離式としてもよいことは言うまでもない。また、溝6を設けなくてもよい。
【００３９】
図3は、釣り具に用いられる中空パイプの実施例(その2)を示したもので、この実施例においては、直線形の中空パイプを種々示している。
【００４０】
まず、同図(1)に示す実施例では、図2(5)に示す実施例において中空パイプ1を直線形状にすると共に、その外径を一定にしている。
【００４１】
同図(2)に示す実施例では、同図(1)の実施例において、中空パイプ1の外径を道糸孔2に比例して広げている点が異なっている。
【００４２】
また、同図(3)及び(4)に示した実施例においては、上記の各実施例で用いた錘13を今度は中空パイプ1と一体に形成したものとなっている。この場合の中空パイプ1は、同図(1)と同様に、外径が一定で道糸孔2のみが開孔部3から開孔部4に向かって広がっているものと、同図(2)と同様に外径も道糸孔2と同様に広がっているものを用いている。
【００４３】
図4は、本発明に係る釣り具の使用形態を示したもので、この使用形態では特に例えば、図2(5)に示す中空パイプ1を用い、この中空パイプ1に道糸21を通してヨリモドシ22に接続し、ハリス23を経由して針24を接続したものである。当然のことならが、上記の各実施例も同様にこの使用形態に適用できるものである。
【００４４】
従って、このような釣り具を用いて、図8に示す如く、陸70側の釣り人80がリール26を巻いて道糸32を手繰り寄せたとき、砂や小石が道糸孔2の開孔部3の側から進入しても、反対側の開孔部4からこれを容易に排出することができるので、魚がエサをくわえたとき、魚には錘の重さの違和感を与えることが無くなるので、錘の重さで魚信を正確に取ることが可能となる。
【図面の簡単な説明】
【００４５】
【図１】本発明に係る釣り具を原理的に示した図である。
【図２】本発明に係る釣り具の実施例(その1)を示した外観図である。
【図３】本発明に係る釣り具の実施例(その2)を示した外観図である。
【図４】本発明に係る釣り具の使用形態例を示した図である。
【図５】遊動天秤式釣り具の従来例(1)を示した図である。
【図６】遊動天秤式釣り具の従来例(2)を示した図である。
【図７】遊動天秤式釣り具の従来例(3)を示した図である。
【図８】従来の遊動天秤式釣り具の問題点を説明するための使用形態図である。
【図９】従来の遊動天秤式釣り具において中空パイプ内に砂や小石が詰まってしまった状態を示す図である。
【符号の説明】
【００４６】
1  中空パイプ
1a,1b  中空パイプ部分
1c  ねじ部
2  道糸孔
3,4  開孔部
5  砂（又は小石）
6  溝
7a,7b  ビニール管
8a,8b  ハガネ
10  釣り具
11  ヨリモドシ(サルカン)
12  スナップ
13,130  錘
図中、同一符号は同一又は相当部分を示す。
【図１】
2005229900.tif 000003
【図２】
2005229900.tif 000004
【図３】
2005229900.tif 000005
【図４】
2005229900.tif 000006
【図５】
2005229900.tif 000007
【図６】
2005229900.tif 000008
【図７】
2005229900.tif 000009
【図８】
2005229900.tif 000010
【図９】
2005229900.tif 000011